(57)【要約】    【課題】  本発明の目的は、包装袋の端縁熱接着部の中央部の内端近傍を掴んで包装袋の表裏壁面を外方に引っ張ることにより、端縁熱接着部内端にて熱接着性樹脂層を破断させ、剥離層が形成された端縁熱接着部の領域の積層体を基材層と熱接着性樹脂層間で剥離させることにより開封できる易開封性包装袋を提供することである。    【解決手段】  基材層と熱接着性樹脂層とが積層された構成の積層体からなり両側端にガセット折込部を有し両端縁に端縁熱接着部を有するガセットタイプの包装袋であって、一方の前記端縁熱接着部を形成するいずれか一方の積層体の少なくともガセット折込部の内端間に対応する端縁熱接着部における基材層と熱接着性樹脂層間の領域に剥離層が形成されている構成の易開封性包装袋である。【選択図】    図１
2006273355.tif 000002
【特許請求の範囲】
【請求項１】
基材層と熱接着性樹脂層とが積層された構成の積層体からなり両側端にガセット折込部を有し両端縁に端縁熱接着部を有するガセットタイプの包装袋において、一方の前記端縁熱接着部の少なくとも両側のガセット折込部の内端間の領域に対応させて、端縁熱接着部を形成するいずれか一方の積層体の基材層と熱接着性樹脂層間に剥離層が形成されている構成からなることを特徴とする易開封性包装袋。
【請求項２】
前記剥離層が包装袋の両側端間の全巾にわたって形成されていることを特徴とする請求項１記載の易開封性包装袋。
【請求項３】
前記剥離層が前記端縁熱接着部を形成する他方の積層体の両側端のガセット折込部と対向する領域に形成されている構成からなることを特徴とする請求項２記載の易開封性包装袋。
【発明の詳細な説明】
【技術分野】
【０００１】
本発明は、端縁熱接着部を所定領域だけ剥離させて簡単に開口をさせ内容物を取り出すことのできるガセットタイプの易開封性包装袋に関する。
【背景技術】
【０００２】
従来、端縁熱接着部を剥離させて開封し内容物を取り出すようにした易開封性包装袋としては、基材層と熱接着性樹脂層とが積層された積層体からなり中央シール部と端縁熱接着部により形成されたピロータイプ袋において、中央シール部の内端と端縁熱接着部の内端との交差する部分を含む領域に対向する積層体の基材層と熱接着性樹脂層との間に剥離層が形成さている構成の易開封性包装袋（例えば、特許文献１参照）が知られている。
【特許文献１】特開平９−７７０９２号
【０００３】
しかしながら、上記の易開封性包装袋では、剥離層が形成された端縁熱接着部の内端と中央シール部の内端との交差する箇所の内側にて袋の両面を摘んで引つ張ることにより、剥離層が形成されている端縁熱接着部の内端と中央シール部の内端との交差する部分にて熱接着性樹脂層を破断させて端縁熱接着部を剥離し簡単に開封できるようにするのを目的としたものであり、熱接着性樹脂層の全体を簡単に剥離させて開封することができるが、端縁熱接着部の剥離させる箇所を所定領域に限定して、端縁熱接着部の所定領域に所定の大きさの開口を形成させることができないという欠点を有している。
【発明の開示】
【発明が解決しようとする課題】
【０００４】
本発明の目的は、包装袋の端縁熱接着部の中央部の内端近傍の包装袋の表裏両面の積層体を掴んで引っ張ることにより、端縁熱接着部の中央部の領域、端縁熱接着部の左右方向の全巾ないしは両側のガセット折込部を含む端縁熱接着部の全体を剥離させて開封することのできるガセットタイプの易開封性包装袋を提供することである。
【課題を解決するための手段】
【０００５】
基材層と熱接着性樹脂層とが積層された構成の積層体からなり両側端にガセット折込部を有し両端縁に端縁熱接着部を有するガセットタイプの包装袋において、一方の前記端縁熱接着部の少なくとも両側のガセット折込部の内端間の領域に対応させて、端縁熱接着部を形成するいずれか一方の積層体の基材層と熱接着性樹脂層間に剥離層が形成されている構成の易開封性包装袋である。
【０００６】
上記の易開封性包装袋において、前記剥離層が包装袋の両側端間の全巾にわたって形成されている構成である。
【０００７】
上記の易開封性包装袋において、前記剥離層が前記端縁熱接着部を形成する他方の積層体の両側端のガセット折込部と対向する領域に形成されている構成である。
【発明の効果】
【０００８】
本発明の構成とすることにより、包装袋の中央部における端縁熱接着部の内端近傍の表裏両面の積層体を掴んで両側に引つ張ることにより、剥離層が形成された領域の端縁熱接着部の内端にて熱接着性樹脂層が破断して、基材層に形成された剥離層と熱接着性樹脂層間が剥離するので、端縁熱接着部の剥離層が形成された少なくとも両側のガセット折込部の内端間に所定の大きさの開口を形成させた状態で開封することができる。
【０００９】
請求項２に係る発明では、端縁熱接着部を包装袋の両端間の全巾にわたって剥離させて大きい開口を形成させることができる。
【００１０】
請求項３に係る発明では、両側のガセット折込部も含めた端縁熱接着部の全体を剥離させて開封できるので、両側のガセット折込部を外側に広げた状態のきわめて大きい開口を形成することができる。
【発明を実施するための最良の形態】
【００１１】
以下、図面を引用して本発明の実施の形態を説明する。
図１は本発明の易開封性包装袋の第１実施形態を示す平面図、図２は図１のＩ−Ｉ線拡大断面図、図３は端縁熱接着部を剥離した状態を示す図２に対応する断面図、図４は第１実施形態の開封した状態を示す斜視図、図５は本発明の易開封性包装袋の第２実施形態を示す平面図、図６は第２実施形態の開封した状態を示す斜視図、図７は本発明の易開封性包装袋の第３実施形態を示す底面図、図８は第３実施形態の開封した状態を示す斜視図、図９は第１実施形態の易開封性包装袋を作製するための積層体を示す平面図、図１０は第２実施形態の易開封性包装袋を作製するための積層体を示す平面図、図１１は第３実施形態の易開封性包装袋を作製するための積層体を示す平面図であって、１, 1', 1"は易開封性包装袋、２は合掌熱接着部、2'は合掌熱接着部形成領域、３は端縁熱接着部、3'は端縁熱接着部形成領域、４は表面壁、4'は表面壁形成領域、５は裏面壁、5'は裏面壁形成領域、６はガセット折込部、6'はガセット折込部形成領域、７は剥離層、８はカット線、10は積層体、11は基材層、12は熱接着性樹脂層、13は接着剤層をそれぞれ表す。
【００１２】
本発明の第１実施形態の易開封性包装袋１は図１、図２に示すとおりである。第１実施形態の平面図は、図１に示すように、合掌熱接着部２と端縁熱接着部３により形成され両側端部にガセット折込部６を有するガセットピロータイプの包装袋であって、端縁熱接着部３の両側端に設けられたガセット折込部６の内端間に対応する領域において、包装袋の表面壁４を構成する積層体10の基材層11と熱接着性樹脂層12間に剥離層７が形成された構成である。
【００１３】
第１実施形態において、端縁熱接着部３に剥離層７が形成された領域の断面構成は、図２に示すように、基材層11と熱接着性樹脂層12とが接着剤層13により積層された構成の積層体10からなり、合掌熱接着部２が形成されていない包装袋の表面壁４を構成する積層体10の基材層11面に形成され剥離層７を介して熱接着性樹脂層12が接着剤層13により積層されているものである。
【００１４】
第１実施形態の端縁熱接着部３の中央部の内側近傍の包装袋の表面壁４と裏面壁５を形成する積層体10を掴んで引っ張ることにより、図３に示すように、剥離層７が形成されている端縁熱接着部３の中央部の内端にて、熱接着されている表面壁４を構成する積層体10の熱接着性樹脂層12が破断し、基材層11に形成されている剥離層７と熱接着性樹脂層12間で剥離する。                                                                            
【００１５】
第１実施形態の端縁熱接着部３の左右方向の中央部を剥離させて開封した状態の包装袋の端縁熱接着部３の形状は、図４に示すように、端縁熱接着部３の剥離層７が形成されている領域において、表面壁４を形成する積層体10の基材層11と熱接着性樹脂層12間で剥離して、端縁熱接着部３の左右方向の中央部に両側のガセット折込部６の内端間の巾を有する開口が形成された状態で開封されるものである。
【００１６】
本発明の第２実施形態の易開封性包装袋1'は、図５に示すとおりであり、端縁熱接着部３の両端間の全巾にわたって包装袋の表面壁４を構成する積層体10の基材層11と熱接着性樹脂層12間に剥離層７が形成されている点で異なる以外は第１実施形態と基本的には同じ構成である。
【００１７】
第２実施形態の端縁熱接着部３を剥離させて開封した状態の包装袋の端縁熱接着部３の形状は、図６に示すとおりであり、包装袋の幅方向の中央部では包装袋の表面壁４と裏面壁５を構成する積層体10が剥離するとともに、包装袋の表面壁４とガセット折込部６との熱接着部が剥離するので、端縁熱接着部３が両端間の全巾にわたって剥離して大きい開口が形成された状態で開封される。
【００１８】
本発明の第３実施形態の易開封性包装袋1"は、平面図が図５に底面図が図６に示すとおりであり、端縁熱接着部３の包装袋の裏面壁５を構成する積層体10の裏面壁５とガセット折込部６との対向する領域における基材層11と熱接着性樹脂層12間に剥離層７が形成されている点で異なる以外は、第２実施形態と基本的には同じ構成である。
【００１９】
第３実施形態の端縁熱接着部３を剥離させて開封した状態の包装袋の端縁熱接着部３の形状は、図８に示すとおりであって、端縁熱接着部３における表面壁４と裏面壁５の対向する領域及び表面壁４と裏面壁５の両側のガセット折込部６と対向する領域が剥離し、両側のガセット折込部６も含めた端縁熱接着部３の全体を剥離させて両側のガセット折込部６を外側に広げた状態となりきわめて大きい開口を形成することができる。
【００２０】
第１〜第３実施形態において、剥離層７は端縁熱接着部３の内端より包装袋の内方に延出するように端縁熱接着部３の面積よりも少し大きい面積で形成されている。このように剥離層７を形成することにより、積層体10における剥離層７を形成する位置が多少ずれた場合でも、易開封性包装袋を製造する際に、端縁熱接着部３が形成される所定領域の全体に剥離層７が形成された状態とすることができる。実施形態では、包装袋の形状を合掌熱接着部を有するガセットピロータイプ袋としているが、ガセット折込部の４箇所の端縁に長手方向熱接着部を設けた合掌熱接着部を有しないガセット袋としてもよい。
【００２１】
第１実施形態のガセットピロータイプの包装袋を作製するための連続した積層体の平面図は、図９に示すとおりであって、積層体の巾方向に合掌熱接着部形成領域2'と裏面壁形成領域5'とガセット折込部領域6'と表面壁形成領域4'とガセット折込部領域6'と裏面壁形成領域5'と合掌熱接着部形成領域2'とが順に形成されており、ガセットピロータイプの包装袋の表面壁を構成する表面壁形成領域4'の巾方向の中央部に、表面壁形成領域4'の巾よりもガセット折込部領域6'の巾だけ短い巾を有する離型層７が、包装袋の縦方向の長さとなる所定間隔をおいて形成されている構成である。この積層体を使用してガセットピロータイプの包装袋に製袋され内容物が充填された後にカット線８にてカットされてガセットピロータイプの包装袋となるものである。
【００２２】
第２実施形態のガセットピロータイプの包装袋を作製するための積層体の平面図は、図１０に示すとおりであり、第１実施形態の連続した積層体と比較して、ガセットピロータイプの包装袋の表面壁を構成する表面壁形成領域4'に全巾にわたって離型層７が形成されている点で異なる以外は、基本的に同じ構成である。
【００２３】
第３実施形態のガセットピロータイプの包装袋を作製するための積層体の平面図は、図１１に示すとおりであり、第２実施形態の連続した積層体と比較して、両側の裏面壁形成領域5'のガセット折込部領域6'に隣接して、ガセット折込部領域6'の半分の巾の離型層７がそれぞれ形成されている点で異なる以外は、基本的に同じ構成である。
【００２４】
剥離層を形成する樹脂としてはニトロセルローズ系樹脂、ポリアミド系樹脂、アクリル系樹脂、それらの混合樹脂が適している。必要によりポリエチレンワツクス、シリコーン等を添加して使用してもよい。基材層面に剥離層を形成するには、上記樹脂からなるインキを使用し、グラビア印刷方式により基材層内面に絵柄を印刷する工程にて同時に印刷により形成されるものである。
【００２５】
本発明の易開封性包装袋を作製するための積層体の構成としては、例えば、（１）２軸延伸ポリエチレンテレフタレート（ＰＥＴ）１２μ／ドライラミネーション（ＤＬ）／絵柄印刷層／２軸延伸ポリプロピレン（ＯＰＰ）２０μ／ＤＬ／シリカ蒸着２軸延伸ポリエチレンテレフタレート（ＶＭＰＥＴ）／部分剥離層／ＤＬ／未延伸ポリプロピレン（ＣＰＰ）３０μ、（２）ＰＥＴ１２μ／ＤＬ／絵柄印刷層／ＶＭＰＥＴ１２μ／部分剥離層／ＤＬ／ＣＰＰ３０μ等である。ＣＰＰ３０μに代えて線状低密度ポリエチレン（ＬＬＤＰＥ）を使用することもできる。ＣＰＰ又はＬＬＤＰＥの厚さは厚くすると端縁熱接着部を破断させて剥離するのが困難となるので好ましくない。上記の積層体を使用することによりガスバリヤー性に優れた易開封性包装袋とすることができる。
【００２６】
上記の積層体の製造するには、（１）の構成の場合は、ＯＰＰとＶＭＰＥＴをＤＬにより積層してＯＰＰ面に絵柄を印刷すると同時にＶＭＰＥＴ面に部分剥離層を印刷して形成した後に、絵柄印刷層面にＰＥＴを積層し部分剥離層面にＣＰＰを積層する工程により、（２）の構成の場合は、ＶＭＰＥＴの一方の面に絵柄を印刷すると同時にＶＭＰＥＴの他方の面に部分剥離層を印刷により形成した後に、絵柄印刷層面にＰＥＴを積層し部分剥離層面にＣＰＰを積層する工程により、それぞれ製造することができる。
【図面の簡単な説明】
【００２７】
【図１】本発明の易開封性包装袋の第１実施形態を示す平面図。
【図２】図１のＩ−Ｉ線拡大断面図。
【図３】端縁熱接着部を剥離した状態を示す図２に対応する断面図。
【図４】第１実施形態の開封した状態を示す斜視図。
【図５】本発明の易開封性包装袋の第２実施形態を示す平面図。
【図６】第２実施形態の開封した状態を示す斜視図。
【図７】本発明の易開封性包装袋の第３実施形態を示す底面図。
【図８】第３実施形態の開封した状態を示す斜視図。
【図９】第１実施形態の易開封性包装袋を作製するための積層体を示す平面図。
【図１０】第２実施形態の易開封性包装袋を作製するための積層体を示す平面図。
【図１１】第３実施形態の易開封性包装袋を作製するための積層体を示す平面図。
【符号の説明】
【００２８】
１, 1', 1"  易開封性包装袋            10  積層体
２  合掌熱接着部                      11  基材層
2'  合掌熱接着部形成領域              12  熱接着性樹脂層
３  端縁熱接着部                      13  接着剤層
3'  端縁熱接着部形成領域                                                        ４  表面壁
4'  表面壁形成領域
５  裏面壁
5'  裏面壁形成領域
６  ガセット折込部
6'  ガセット折込部形成領域
７  剥離層
８  カット線
【図１】
2006273355.tif 000003
【図２】
2006273355.tif 000004
【図３】
2006273355.tif 000005
【図４】
2006273355.tif 000006
【図５】
2006273355.tif 000007
【図６】
2006273355.tif 000008
【図７】
2006273355.tif 000009
【図８】
2006273355.tif 000010
【図９】
2006273355.tif 000011
【図１０】
2006273355.tif 000012
【図１１】
2006273355.tif 000013